(57)【要約】【課題】ユーザの要望に応じてモード設定を行ない、紛失時に個人情報が漏洩しないようにする携帯端末を提供することを目的とする。【解決手段】ＣＰＵ１、操作入力部２、表示部３、通信部４、音声入出力部５、データ記憶部６、電話帳データ部７を主な構成とする。電話番号毎に、通常モード、ロックモード、半ロックモード時の表示内容（項目）を設定することが出来る。“半ロックモード”においては（ステップＳ１２／Ｙｅｓ）、電話着信時に電話番号に対応する半ロックモード時表示データが表示部３に表示される（ステップＳ１３）。半ロックモード時表示データには、ニックネームやイニシャル等、携帯電話の持ち主本人のみがわかり他のユーザにはわからないようなデータが登録される。例として半ロックモード時の携帯表示画面を図６に示す。【選択図】図６
2007274240.tif 000002
【特許請求の範囲】
【請求項１】
無線通信手段と、発信元の番号及びこれに対応するデータを表示する表示手段と、前記対応するデータを記憶する記憶手段と、を備える携帯端末であって、
前記表示手段により表示する内容をモード毎に設定するモード設定手段を備えることを特徴とする携帯端末。
【請求項２】
前記モードは、通常モード、ロックモード、半ロックモードであることを特徴とする請求項１記載の携帯端末。
【請求項３】
前記通常モードは、発信元の番号及びこれに対応するデータを前記表示手段により全て表示し、
前記ロックモードは、発信元の番号及びこれに対応するデータも全て表示しないようにするモードであることを特徴とする請求項２記載の携帯端末。
【請求項４】
前記半ロックモードは、前記発信元の番号及びこれに対応するデータのうち、任意の項目を前記表示手段により表示することを特徴とする請求項２記載の携帯端末。
【請求項５】
前記任意の項目を、前記記憶手段に記憶されている番号毎に設定する半ロックモード時表示内容設定手段を備えることを特徴とする請求項４記載の携帯端末。
【請求項６】
前記半ロックモード時表示内容設定手段は、発信元を氏名以外の表示で表すよう設定することを特徴とする請求項５記載の携帯端末。
【請求項７】
前記氏名以外の表示は、イニシャルであることを特徴とする請求項６記載の携帯端末。
【請求項８】
前記対応するデータは、氏名、メールアドレス、顔写真、住所、設定された電話帳内のグループ名等の個人情報であることを特徴とする請求項１から７のいずれか１項に記載の携帯端末。
【発明の詳細な説明】
【技術分野】
【０００１】
本発明は、携帯端末に関し、特に個人情報を保護する機能と電話着信時に発信元の識別を容易にする機能を同時に実現する携帯端末に関する。
【背景技術】
【０００２】
従来から、携帯電話の個人情報を保護するためには、ダイヤルロック、ＰＩＭ（Personal  Information  Manager）ロックなどの携帯電話が持つ機能のほとんどが使用不可能となるモードに設定する必要があった。ロックモード設定を行わない場合は、個別に機能を禁止する必要があった。例えば、電話帳発信禁止、電話帳消去禁止、電話帳上書き禁止、電話帳呼び出し禁止、などの電話帳へのアクセスを行う機能を個別に制限する機能を使用する必要があった。電話帳へのアクセスの他、リダイヤル機能、不在着信機能、スケジュール機能、録音再生機能、アラーム機能及び発番号通知機能等を禁止することで個人情報を保護していた。
【０００３】
しかし、ユーザによる複雑な操作を要するといった問題があったため、本来の携帯電話機としての機能の使用を可能としつつ、個人情報を保護するこができる携帯電話機が提供されている（特許文献１参照）。
【０００４】
また、上記ダイヤルロック等、ロックモードとしては、設定状態、解除状態の２モードでしか選択できず、ユーザの利用状況に応じたロック（シークレット）レベルの設定ができないといった問題があったため、電話帳データのシークレットレベルを少なくとも３段階に設定する携帯電話機が提案されている（特許文献２参照）。
【０００５】
また、携帯電話機の多くは、着信時に発信元の名前を表示するモード（ロックモード解除状態）と、発信元の名前を表示せず電話番号のみを表示するモード（ロックモード設定状態）を持ち、両モード間で切り替える機能を持っている。紛失時の電話帳情報の漏洩を防ぐためには、電話待ち受け時は発信元の名前を表示しないモードに設定しておくのが一般的である。
【特許文献１】特開平１０−２２９５８３号公報
【特許文献２】特開２００５−１９８１７０号公報
【発明の開示】
【発明が解決しようとする課題】
【０００６】
しかしながら、上記ロックモードを段階設定する技術は、電話帳データに格納された各データの重要性に関係なく、一括してロックモードを設定するため、不十分な点があった。また、上記のように、電話待ち受け時に発信元の名前を表示しないモードに設定している場合、電話着信時に電話番号しか表示されないため、携帯電話の持ち主であっても誰から電話が来たのかがわかりにくいという問題点があった。
【０００７】
本発明はこのような状況に鑑みてなされたものであり、ユーザの要望に応じてモード設定を行ない、紛失時に個人情報が漏洩しないようにする携帯端末を提供することを目的とする。
【課題を解決するための手段】
【０００８】
請求項１記載の発明は、無線通信手段と、発信元の番号及びこれに対応するデータを表示する表示手段と、前記対応するデータを記憶する記憶手段と、を備える携帯端末であって、前記表示手段により表示する内容をモード毎に設定するモード設定手段を備えることを特徴とする携帯端末である。
【０００９】
請求項２記載の発明は、請求項１記載の携帯端末において、前記モードは、通常モード、ロックモード、半ロックモードであることを特徴とする。
【００１０】
請求項３記載の発明は、請求項２記載の携帯端末において、前記通常モードは、発信元の番号及びこれに対応するデータを前記表示手段により全て表示し、前記ロックモードは、発信元の番号及びこれに対応するデータも全て表示しないようにするモードであることを特徴とする。
【００１１】
請求項４記載の発明は、請求項２記載の携帯端末において、前記半ロックモードは、前記発信元の番号及びこれに対応するデータのうち、任意の項目を前記表示手段により表示することを特徴とする。
【００１２】
請求項５記載の発明は、請求項４記載の携帯端末において、前記任意の項目を、前記記憶手段に記憶されている番号毎に設定する半ロックモード時表示内容設定手段を備えることを特徴とする。
【００１３】
請求項６記載の発明は、請求項５記載の携帯端末において、前記半ロックモード時表示内容設定手段は、発信元を氏名以外の表示で表すよう設定することを特徴とする。
【００１４】
請求項７記載の発明は、請求項６記載の携帯端末において、前記氏名以外の表示は、イニシャルであることを特徴とする。
【００１５】
請求項８記載の発明は、請求項１から７のいずれか1項に記載の携帯端末において、前記対応するデータは、氏名、メールアドレス、顔写真、住所、設定された電話帳内のグループ名等の個人情報であることを特徴とする。
【発明の効果】
【００１６】
本発明によれば、ユーザの要望に応じてモード設定を行ない、紛失時に個人情報が漏洩しないようにする携帯端末を提供する。
【発明を実施するための最良の形態】
【００１７】
以下に、本発明の実施形態に係る携帯端末を、図面を用いて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１８】
図１は、本発明の実施形態に係る携帯端末のブロック構成図である。なお、本実施形態は、携帯端末の例として携帯電話機を用いて説明する。ＣＰＵ１、操作入力部２、表示部３、通信部４、音声入出力部５、データ記憶部６、電話帳データ部７から構成されている。操作入力部２は、ユーザのキー操作を受け付け、処理を行う。表示部３は、ユーザに情報を知らせる。通信部４は、通話やパケット通信などの通信処理を行う。音声入出力部５は、受信した音声を再生し、ユーザの音声を受け取って送信する。
【００１９】
データ記憶部６は、電話帳データ以外のデータを保持する。携帯電話が通常モード、ロックモード、半ロックモードのいずれの設定であるかについても記憶している。また、モード切り替えのための暗証番号を記憶する。電話帳データ部７は、電話帳のデータを記録する。登録エントリごとに、電話番号、通常モード時用の表示データ、ロックモード時用の表示データ、半ロックモード時用の表示データをそれぞれ持つ。電話帳データ部７が記憶するデータは下記表１に示す。
【００２０】
【表１】
2007274240.tif 000003
【００２１】
上記表１に示すように、電話番号毎に、通常モード、ロックモード、半ロックモード時の表示内容（項目）を設定することが出来る。例えば、重要な電話帳データ（表１、No.1の電話番号）に対しては、半ロックモード時に電話番号を非表示とし、表示するデータとしては自分にしかわからないデータ（発信元の名前をイニシャルにする等）を慎重に選んで設定し、重要でないデータに対しては、半ロックモード時でも電話番号を表示するよう設定することが出来る。これにより、紛失時に個人情報の漏洩を防ぎ、また、発信元をイニシャル表示等にするため、携帯電話の持ち主が電話着信時に容易に発信元を識別することができる。
【００２２】
次に、本実施形態に係るモード設定の際の処理動作について図２を用いて説明する。図２は、本実施形態の処理動作を示すフローチャートである。携帯電話の状態（モード）は、データ記憶部６に保持されている。携帯電話の状態としては、通常モード、ロックモード、半ロックモードがあり、どれか１つの状態を取る。携帯電話のユーザは、携帯電話機の状態がどのモードであっても、操作を行うことにより、モードを切り替えることができる。
【００２３】
モードを切り替える場合は（ステップＳ１／Ｙｅｓ）、操作入力部２から暗証番号を入力する（ステップＳ２）。入力された暗証番号と、データ記憶部６中に登録された暗証番号が一致した場合（ステップＳ３／Ｙｅｓ）、ＣＰＵ１によってデータ記憶部６中のモード情報が書き換えられる（ステップＳ４）。
【００２４】
以下に、各モード（通常モード、ロックモード、半ロックモード）が、どのようなモードであるか図３を用いて説明する。図３は、本実施形態に係るモード別着信時表示処理を示すフローチャートである。通信部４によって電話着信が行われ（ステップＳ６／Ｙｅｓ）、電話帳データ部７に該当する電話番号が登録されていた場合（ステップＳ７／Ｙｅｓ）、各モード別に表示を行う。
【００２５】
"通常モード"においては（ステップＳ８／Ｙｅｓ）、電話着信時に電話番号に対応する通常モード時表示データが表示部３に表示される（ステップＳ９）。上記表１に示す「通常モード時表示データ」である。通常モード時表示データには、発信者の名前等、最もわかりやすいデータが登録される。例として通常モード時の携帯表示画面を図４に示す。
【００２６】
"ロックモード"においては（ステップＳ１０／Ｙｅｓ）、電話着信時に電話番号に対応するロックモード時表示データが表示部３に表示される（ステップＳ１１）。ロックモード時表示データには、電話番号自体や空文字列（何も表示しない）等、なるべくユーザに情報を開示しない形のデータが登録される。例としてロックモード時の携帯表示画面を図５に示す。なお、ロックモードを解除しない限り、電話帳データ等個人情報に関するデータを閲覧することは出来ない。
【００２７】
"半ロックモード"においては（ステップＳ１２／Ｙｅｓ）、電話着信時に電話番号に対応する半ロックモード時表示データが表示部３に表示される（ステップＳ１３）。半ロックモード時表示データには、ニックネームやイニシャル等、携帯電話の持ち主本人のみがわかり他のユーザにはわからないようなデータが登録される。例として半ロックモード時の携帯表示画面を図６に示す。なお、電話帳データ等個人情報に関するデータの閲覧は、ロックモードと同様、半ロックモードを解除しない限り出来ない。
【００２８】
電話帳データ部７、表１のデータは、通常モード時にユーザの操作によって書き換えることが可能である。ユーザの書き換え操作が、操作入力部２で受け付けられ、ＣＰＵ１によって電話帳データ部７が書き換えられる。
【００２９】
上記実施形態により、通常携帯電話機を使用する場合は通常モードで使用し、待ち受け状態の時には半ロックモードで使用することにより、紛失時に電話帳データ中の漏洩してはいけないデータ（通常モード時表示データ）が漏洩せず、かつ電話着信時には携帯電話機の持ち主だけには発信元がわかるようにすることができるという効果がある。また、より厳密な保護が必要な場合にはロックモードに設定しておくこともできる。
【００３０】
更に、通常モードの状態で一定時間経過したとき、自動的に半ロックモード（又はロックモード）に移行する機能を携帯電話機に具備させても良い。
【００３１】
以上、本発明を好適な実施の形態に基づき具体的に説明したが、本発明は上記のものに限定されるものではなく、その要旨を逸脱しない範囲で種々変更可能であることは言うまでもない。
【図面の簡単な説明】
【００３２】
【図１】本発明の実施形態に係る携帯端末のブロック構成図である。
【図２】本発明の実施形態に係る動作処理を示すフローチャートである。
【図３】本発明の実施形態に係る動作処理を示すフローチャートである。
【図４】本発明の実施形態に係るモードの携帯画面表示の一例を示す図である。
【図５】本発明の実施形態に係るモードの携帯画面表示の一例を示す図である。
【図６】本発明の実施形態に係るモードの携帯画面表示の一例を示す図である。
【符号の説明】
【００３３】
１    ＣＰＵ
２    操作入力部
３    表示部
４    通信部
５    音声入出力部
６    データ記憶部
７    電話帳データ部
【図１】
2007274240.tif 000004
【図２】
2007274240.tif 000005
【図３】
2007274240.tif 000006
【図４】
2007274240.tif 000007
【図５】
2007274240.tif 000008
【図６】
2007274240.tif 000009